(57)【要約】【課題】家屋を解体した際の壁土、縄、瓦、木片、砂利等が混在した廃棄物を分別でき、目詰まりを生じにくくした回転式分別機を提供する。【解決手段】回転籠１を構成する回転筒２内に、通過間隙をあけて円周方向に並列し篩目を形成する複数の固定板３を固定する。この固定板間に、半径方向に移動可能に突出体が設けられている。この突出体は、摺動板１３であり、摺動板の両端は、案内溝１４を有するガイド１５に摺動可能に係合している。回転籠１が回転すると、摺動板１３は固定板３とともに回転し、同時にガイド１５に案内されて半径方向に強制的に若しくは積極的に移動し、目詰まり物を突き出す。【選択図】図３
2019076884.tif 000002
【特許請求の範囲】
【請求項１】
回転籠を形成するよう回転筒の半径方向に通過間隙をあけて円周方向に並列状態に篩目を形成する固定板と、該通過間隙内に固定板との間に隙間をあけて設けられた突出体を有し、回転籠を駆動した際、上記突出体を通過間隙内で固定板に沿って半径方向に移動させることを特徴とする回転式分別機。
【請求項２】
上記突出体は、固定板に沿って強制的若しくは積極的に移動する摺動板である請求項１に記載の回転式分別機。
【請求項３】
上記摺動板の両端には、固定板の先端から摺動板の先端を後退させ、若しくは突出するよう摺動板の移動を制御する制御手段が設けられている請求項２に記載の回転式分別機。
【請求項４】
上記制御手段は、摺動板の両端が摺動可能に係合する案内溝を有するガイドであり、該ガイドは上記回転籠の回転軌跡と相違する環形状に形成されている請求項３に記載の回転式分別機。
【請求項５】
上記摺動板の両端には受溝が形成され、上記制御手段は該受溝に係合し円周方向に蛇行する環状案内板である請求項３に記載の回転式分別機。
【請求項６】
回転籠を形成するよう回転筒の半径方向に延び通過間隙をあけて円周方向に並列状態に篩目を形成する固定板と、該通過間隙内に固定板との間に隙間をあけて設けられ外周面の一部が固定板の先端より突出する回転体を有し、回転籠を駆動した際、上記回転体が通過間隙内で固定板に隣接して回転することを特徴とする回転式分別機。
【請求項７】
上記回転籠は、大口径の回転籠の内方にそれより小口径の回転籠を有する多層構造に形成されている請求項１〜６のいずれかに記載の回転式分別機。
【発明の詳細な説明】
【技術分野】
【０００１】
本発明は、家屋の解体により生じた壁土、縄、竹、瓦、木材、砂利その他の廃棄物が混在した混在物を解体現場で好適に分別処理することができようにした回転式分別機に関するものである。
【背景技術】
【０００２】
家屋を解体すると、壁土、縄、竹、瓦、木材、砂利その他の各種廃棄物が混在した混在物が発生するが、このような混在物は、土、木片、がれき等が混在したまま解体現場から持ち出すと、産業廃棄物となり、その後の破棄処理がコスト高となって経済的でない。そのため、解体現場において、混在物を材料毎に分別すると、それぞれが資源ごみや分別ごみとなって公的機関で処理され、廃棄処理が簡単である。
【０００３】
一般的に、大きさの異なる混在物を分別処理するには、各種の篩装置が使用されている。例えば、固定篩、可動棒篩、回転篩、振動篩、揺動篩等が知られており、解体現場で発生するような種々の材料が混在した混在物の場合には、トロンメル型といわれる回転式分別機が広く使用されている。この回転式分別機は、回転自在の円筒形の回転籠を有し、その壁面を、孔を有する網や隙間をあけてスリットを形成した棒状部材で構成することにより篩目となる隙間を設けてある。分別すべき混在物は、この回転籠の一端側の開口部から回転籠内に投入され、回転籠が回転することにより他端側の開口部に向けて送られ、その間に回転籠の回転に伴って上から下へ、下から上へと何度も上下動して粉砕・破砕され、微細化された細片は回転籠の上記隙間を通過して外部に落下し、回転籠の下部に置いた受け箱に回収される。大きなものは他端側の開口部まで送られ、該開口部から回転籠内に挿入したシュートやコンベアにより回転籠の内面上部から落ちてくるときに回収され、回転籠の外部に取り出して分別される。
【０００４】
上記のようにトロンメル型の分別機は、回転籠の壁面に設けた孔やスリット等の隙間から細片を自然落下させる構成であるから、隙間の周縁に混在物が付着したり、大きいものが目詰まりすることがある。目詰まりを生じると、隙間が塞がって効率が低下するので、回転籠の回転を止めて隙間から目詰まり物を取り出さなければならない。そのような事態を生じないよう回転籠の回転に伴ってスリットにより形成した隙間の間隔を広げて目詰まり物を除去するようにした種々の装置が知られている（例えば特許文献１参照）。
【０００５】
特許文献１に記載されている装置は、スリット状の篩目（隙間）を形成する篩棒（棒状部材）の両端部を、可動端面板に設けた径方向に長い長穴に挿入してドラム部を構成し、ドラム部が回転して篩棒が径方向に移動するとき隣接する篩棒間の篩目の間隔が広がるように移動させて、目詰まり物が自重で下方に落下するように構成している。しかし、このような装置では、自重による自然落下の作用で目詰まり物を放出するだけであるから、篩棒間に強固に挟み込まれたような目詰まり物が発生した場合は簡単に落下、除去することができないものが残る。そのため、目詰まりを生じないようにするには、スリットによる隙間をあまり狭くすることができない。
【先行技術文献】
【特許文献】
【０００６】
【特許文献１】特開２００７−１３０５１５公報（請求項１、段落００１５、００２７、図３）
【発明の概要】
【発明が解決しようとする課題】
【０００７】
本発明の解決課題は、トロンメル型の分別機において、回転籠が回転した際、回転籠の隙間に入り込んだ目詰まり物を積極的に押し出すことができるようにした回転式分別機を提供することである。
【課題を解決するための手段】
【０００８】
本発明によれば、回転籠を形成するよう回転筒の半径方向に通過間隙をあけて円周方向に並列状態に篩目を形成する固定板と、該通過間隙内に固定板との間に隙間をあけて設けられた突出体を有し、回転籠を駆動した際、上記突出体を通過間隙内で固定板に沿って半径方向に移動させることを特徴とする回転式分別機が提供され、上記課題が解決される。
【０００９】
本発明において、上記突出体は、固定板に沿って強制的に若しくは積極的に移動する摺動板である回転式分別機が提供され、また上記突出体として固定板に隣接して回転する回転体を設けた回転式分別機が提供される。
【発明の効果】
【００１０】
本発明は上記のように構成され、回転籠を形成するよう回転筒の半径方向に通過間隙をあけて円周方向に並列状態に篩目を形成する固定板を固定し、この通過間隙内に固定板との間に隙間を設けて突出体を設け、回転籠を駆動した際、上記突出体を通過間隙内で半径方向に移動するようにしたから、固定板間に入り込んだ目詰まり物は、突出体が固定板間を半径方向に移動する際に突出体の先端で押し出され、目詰まりが解消される。したがって、細片が落下する隙間を従来のものより狭く形成しても目詰まりするおそれがない。
【００１１】
上記突出体を、通過間隙内で半径方向に摺動する摺動板で構成すると、この摺動板が固定板の先端よりも下方に後退していると通過間隙が広がって微細化された細片を支障なく下方に落下させることができる。上記摺動板が固定板の先端方向に移動するときには、固定板間の目詰まり物を、摺動板の進行によりその先端部で突き出すことができる。上記摺動板は、上記回転籠の回転中、適宜位置で移動するよう制御することができるから、固定板との間の隙間に挟まっている微細な細片でも容易に回転籠の内方に押し出され、確実に回収することができる。また、突出体として、通過間隙内で回転する回転体に形成すると、固定板の側面に沿って回転体が常時回動することにより固定板の平面を掃清し、かつ掻き出すこができ、一層目詰まりをなくすことができる。
【図面の簡単な説明】
【００１２】
【図１】本発明の一実施例を示す斜視図。
【図２】側面図。
【図３】一部を断面した正面図。
【図４】固定板と摺動板の関係を示し一部を省略した説明図。
【図５】制御手段の他の実施例を示す説明図。
【図６】制御手段のさらに他の実施例を示す説明図。
【図７】環状案内板の一部を拡大して示す説明図
【図８】回転籠の下部における固定板と摺動板の位置を示す説明図。
【図９】回転籠の上部における固定板と摺動板の位置を示す説明図。
【図１０】摺動板が固定板の先端より回転籠の内方に移動した状態の説明図。
【図１１】回転体を有する回転籠の説明図。
【図１２】回転体の駆動部分を示す説明図。
【図１３】回転籠を多層にした実施例を示し、回転籠と固定板の関係を示す説明図。
【図１４】図１３に示す回転籠の長手方向に沿った説明図。
【図１５】図１３に示す多層の回転籠の一部の拡大説明図。
【発明を実施するための形態】
【００１３】
図１〜図４は、本発明の一実施例を示し、回転籠１は、両端に断面円形の回転筒２を有し、該回転筒２の内面には、半径方向に延び通過間隙Ａをあけて円周方向に並列し篩目を形成する固定板３が固定され、両側部は開口している。該回転筒２は、外周面に環状のレール５を有し、該レール５が車輪６上に載置され、該車輪６はベースフレーム７に固定したピロー８に回転自在に保持されている。また、上記回転筒２の外周には、スプロケット９が設けられ、該スプロケット９と図示を略したモーターに連結された駆動スプロケットを、チェーン（図示略）で連結して回転駆動される。分別しようとする混在物は、回転籠１の一方の開口部側から回転籠内に供給され、篩目で篩分けされ、篩分けされなかった大きいものは回転籠１の他方の開口部側から排出される。上記回転籠１の下方には、上記通過間隙から落下した細片を集める受け箱１０が設けられ、回転筒の側方には、回転籠１の両側に位置し開口部を形成した端板４を有する側フレーム１１が起立している。
【００１４】
上記固定板３により形成された通過間隙Ａ内には、固定板３との間に細片が落下できる隙間をあけて突出体１２が挿入されている。この突出体１２は、回転籠１を回転した際、固定板３とともに回転するよう回転自在に支持され、かつ上記通過間隙内で固定板３に沿って強制的に若しくは積極的に半径方向に移動するように制御手段で保持されている。
【００１５】
該突出体は、断面円形、断面長円形その他の種々の形状に形成することができるが、図１〜図４に示す実施例では、通過間隙を構成する固定板との間に微細な細片が通過可能な微小隙間を生じさせることができる幅の断面矩形状の金属板材料で形成した摺動板１３で構成され、端部に連結した上記制御手段により移動制御されている。なお、この摺動板１３の固定板３に対向する平面部の表面には、回転籠１の半径方向に延びる溝を設けることもできる(図示略)。
【００１６】
上記制御手段としては、種々に構成することができる。図１〜図４に示す実施例では、上記側フレーム１１の内側に、すなわち回転籠１側に摺動板１３の両端の上部、下部を挟んで受け入れる幅の断面略コ字状の案内溝１４を有するガイド１５を形成し、このガイド１５により回転籠１の半径方向に向かう摺動板１３の移動を規制するとともに摺動板１３が回転籠の長手方向に抜け出さないようにしている。そして、上記ガイド１５全体の形状を、回転筒２の円形状の中心から偏芯した円形、楕円形、湾曲環状体、蛇行環状体その他回転籠が回転した際に回転籠の回転軌跡と相違する環形状に形成、図1に示す実施例では楕円形に形成することにより回転籠の回転中に摺動板が半径方向に移動する際の移動量を制御している。なお、上記摺動板１３の両端部に適宜のローラーを設けてガイドの内面を転動するようにしてもよい(図示略)。この構成により両端をガイド１５の内面に摺動可能に係合させた摺動板１３は、ガイド１５の形状に応じて回転籠１の中心に対して内方、外方に強制的に移動され、固定板３の先端より後退したり、突出したりする。
【００１７】
図５に示す制御手段は、側フレーム１１に設けるガイドを、環状の外リング１６と内リング１７で構成し、この外リング１６と内リング１７間の保持間隔１８よりも摺動板１３の先端部１９の上下の幅を狭く形成してある。この構成により、回転籠１が回転する際、摺動板１３は保持間隔１８内で摺動板自身の重量により積極的に移動するので、回転籠１の位置により固定板３の先端より摺動板１３の先端が後退したり、突出したりする。なお、上記図４に示す実施例と図５に示す実施例を適宜組み合わせて案内溝で強制的にガイドされて移動する部分と、案内溝内で自重により積極的に移動する部分を併せて有するガイドであってもよい。
【００１８】
また、上記実施例ではガイド１５による案内部として、断面略コ字状の案内溝１４を有するガイド１５を設け、摺動板１３の両端の上下部をガイド１５に差し込んで係合するようにしてあるが、相対的な位置を対向する部材側に変更してもよい。例えば、摺動板１３の先端に図６に示すように側方に開口する略コ字状の受溝２０を形成し、この受溝２０に摺動可能に係合する環状案内板２１をガイド１５として側フレーム１１に設けて制御手段としてもよい。そして、この環状案内板２１を真円ではなく、回転籠の回転軌跡と相違する形状、例えば円周方向に波型に蛇行する形状に形成することにより回転籠１の半径方向への摺動板１３の移動を制御することができる。図７は、制御手段による蛇行の一例を示し、ａ点は環状案内板２１が最も内側（回転籠の回転中心方向）に存する位置を示し、ｃ点が最も外側に存する位置し、ｂ点がその中間部となるように環状案内板２１を屈曲させて設けてある。このときの変位量は、例えば回転籠の中心に対して、ａ点からｂ点に移動するとき１．３ｍｍ固定板の外側方向に摺動板が移動し、ｂ点からｃ点に移動するとき０．７ｍｍ外側方向に移動し、ｃ点からｂ点に移動するとき０．７ｍｍ固定板の内側方向に移動し、ｂ点からａ点に移動するときさらに１．３ｍｍ内側方向に移動するように制御することができる。このような蛇行の状態は、環状案内板の全体にわたって同じように突出、後退を繰り返して設けてもよいし、適宜ランダムに突出、後退する蛇行形状に形成してもよい。
【００１９】
上記制御手段により摺動板１３の半径方向への強制的若しくは積極的な移動は、回転籠１の回転中いつでも行うことができるが、好ましくは、回転籠１の下部で細片が落下しやすくし、回転籠の上部で目詰まり物を突き出すことができるようにするとよい。具体的には、図８に示すように、回転籠１の下部において、摺動板１３の先端２２が固定板３の先端２３より後退して通過間隙を広げ、回転籠１の上部にきたとき、図９に示すように、摺動板１３が固定板３の先端２３方向（半径方向下部）に移動して先端２２が突き出るように制御している。なお、上述したように、摺動板１３を固定板３に沿って摺動させれば目詰まり物を突き出すことができるから、回転籠１のどのような位置で摺動板１３を移動するかは適宜に行うことができる。また、回転籠の適宜位置、例えば図１０に示すように、回転籠１の下部で、摺動板１３の後端２９が固定板３の先端２３より突出するよう摺動板１３の全体を回転籠の内方に移動させるよう制御すれば、固定板３の先端２３と摺動板１３の後端２９間の目開き寸法Ｂを適宜変更することができるので、固定板間を通過する混在物の大きさに対応することができる。
【００２０】
上記の構成により摺動板１３は回転籠１が回転する際に、固定板３に押されて回転し、同時に制御手段により固定板３に沿って回転籠１の半径方向に移動し、固定板３間に挟着された目詰まり物に摺動板１３の先端を当接させて突き出すことができる。
【００２１】
上記実施例において、突出体１２は摺動板１３で構成したが、固定板３に隣接して遊星運動する回転体２４で構成することもできる。図１１、図１２はそのような実施例を示し、回転体２４は通過間隙を形成する固定板３間に設けられ、固定板３との間に細片が落下する隙間を形成することができる外径の丸棒若しくは筒状の円柱体で形成されている。回転籠１の開口部に設けた端板４には、回転体２４の回転軸２５を回転可能に支持する軸受２６が固定され、回転軸２５の先端に設けた遊星歯車２７は、側フレーム１１の内側に設けた内歯車２８に係合し、これにより回転体２４は、回転籠１が回転すると固定板３に隣接して遊星運動により回転する。
【００２２】
上記の構成により回転籠１が回転すると、回転体２４は公転、自転し、固定板３との隙間を通して細片は落下し、固定板３との間に挟まれた目詰まり物は回転体２４により固定板３の先端から掻き出されて回転籠１内に突き出され、目詰まりが防止される。なお、上記回転体２４の外周に、長手方向に延びる翼片を突出状態に形成してさらに効率よく掻き出すようにすることもできる(図示略)。
【００２３】
上記実施例では、回転籠を断面円形に形成して駆動した際に、３６０度の回転運動をするように構成してあるが、上記回転籠を駆動した際、所定角度内で回転籠が揺動運動（スウィング運動）するようにしてもよい。また、回転籠を断面円形にせずに、断面扇形に形成して揺動運動させるようにしてもよい。揺動運動させる場合には、回転籠の揺動軌跡と一致しないような案内部を有するガイドにより上述した如き摺動板を移動制御すればよい。
【００２４】
また、上記実施例では回転籠が１層構造であるが、大口径の回転籠の内部にそれより口径が小さな回転籠を設けて多層構造の回転籠に形成することもできる。図１３〜図１５は、回転籠が３層構造の回転式分別機の一実施例を示す説明図である。
【００２５】
図１３において、回転籠１は、大口径の外方回転籠３０と、それより口径が小さい中間回転籠３１と、さらにそれより口径が小さい内方回転籠３２で３層に構成され、上記外方回転籠３０、中間回転籠３１、内方回転籠３２は適宜のステー３３で連結され、一体的に回転する。
【００２６】
上記外方回転籠３０を形成する外方回転筒３４、中間回転籠３１を形成する中間回転筒３５及び内方回転籠３２を形成する内方回転筒３６には、それぞれ篩目を形成する外方固定板３７、中間固定板３８、内方固定板３９が円周方向に間隔をあけて並列して固定され、かつこれらの固定板間には外方摺動板４０、中間摺動板４１及び内方摺動板４２が、各固定板に沿って回転籠の半径方向に強制的若しくは積極的に移動するように設けられている。そして、内方回転籠３２の内方固定板３９間の間隔が一番広く、それより中間回転籠３１の中間固定板３８間の間隔が狭く、外方回転籠３０の外方固定板３７間の間隔がさらに狭くなるように形成してある。
【００２７】
上記固定板間の間隔としては、例えば内方固定板３９と内方摺動板４２間の間隔を、２３．７ｍｍ、中間固体板３８と中間摺動板４１間の間隔を６．０ｍｍ、外方固定板３７と外方摺動板４０間の間隔を１．０ｍｍとしてある。このように構成すると、内方回転籠３２の一方の開口部から籠内に投入した混在物のうち、粒径が２３．７ｍｍよりも大きいものは、内方回転籠３２の篩目を通過せずに長手方向に移動して他方の開口部側から内方回転籠外に排出される。内方回転籠３２の篩目を通過した混在物のうち、粒径が６．０ｍｍより大きい混在物は中間回転籠３１の篩目を通過せずに、中間回転籠の他方の開口部側から排出され、さらに外方回転籠３０に達した混在物のうち粒径が１．０ｍｍよりも大きいものは、外方回転籠の他方の開口部側から排出され、１．０ｍｍ以下のものが、回転籠の下方に設けた受け箱に回収され、結果として４種類の大きさに分別することができる。以上の分別処理において、各固定板間に挟まれた目詰まり物は、上記外方摺動板４０、中間摺動板４１及び内方摺動板４２により篩目から突き出され、分別機の運転を停止せずに効率よく処理することができる。
【符号の説明】
【００２８】
１    回転籠
２    回転筒
３    固定板
１１  側フレーム
１２  突出体
１３  摺動板
１４  案内溝
１５  ガイド
２１  環状案内板
２４  回転体
２７  遊星歯車
２８  内歯車
３０  外方回転籠
３１  中間回転籠
３２  内方回転籠
３７  外方固定板
３８  中間固定板
３９  内方固定板
４０  外方摺動板
４１  中間摺動板
４２  内方摺動板
【図１】
2019076884.tif 000003
【図２】
2019076884.tif 000004
【図３】
2019076884.tif 000005
【図４】
2019076884.tif 000006
【図５】
2019076884.tif 000007
【図６】
2019076884.tif 000008
【図７】
2019076884.tif 000009
【図８】
2019076884.tif 000010
【図９】
2019076884.tif 000011
【図１０】
2019076884.tif 000012
【図１１】
2019076884.tif 000013
【図１２】
2019076884.tif 000014
【図１３】
2019076884.tif 000015
【図１４】
2019076884.tif 000016
【図１５】
2019076884.tif 000017
【手続補正書】
【提出日】平成31年2月18日(2019.2.18)
【手続補正１】
【補正対象書類名】明細書
【補正対象項目名】００１５
【補正方法】変更
【補正の内容】
【００１５】
該突出体は、断面円形、断面長円形その他の種々の形状に形成することができるが、図１〜図４に示す実施例では、通過間隙を構成する固定板との間に微細な細片が通過可能な微小隙間を生じさせることができる幅の断面矩形状の金属板材料で形成した摺動板１３で構成され、端部に嵌合した上記制御手段により移動制御されている。なお、この摺動板１３の固定板３に対向する平面部の表面には、回転籠１の半径方向に延びる溝を設けることもできる(図示略)。
【手続補正２】
【補正対象書類名】明細書
【補正対象項目名】００１６
【補正方法】変更
【補正の内容】
【００１６】
上記制御手段としては、種々に構成することができる。図１〜図４に示す実施例では、上記側フレーム１１の内側に、すなわち回転籠１側に摺動板１３の両端の上部、下部を挟んで受け入れる幅の断面略コ字状の案内溝１４を有するガイド１５を形成し、このガイド１５に両端を嵌合させることにより回転籠１の半径方向に向かう摺動板１３の移動を規制するとともに摺動板１３が回転籠の長手方向に抜け出さないようにしている。そして、上記ガイド１５全体の形状を、回転筒２の円形状の中心から偏芯した円形、楕円形、湾曲環状体、蛇行環状体その他回転籠が回転した際に回転籠の回転軌跡と相違する環形状に形成、図１に示す実施例では楕円形に形成することにより回転籠の回転中に摺動板が半径方向に移動する際の移動量を制御している。なお、上記摺動板１３の両端部に適宜のローラーを設けてガイドの内面を転動するようにしてもよい(図示略)。この構成により両端をガイド１５の内面に摺動可能に嵌合させた摺動板１３は、ガイド１５の形状に応じて回転籠１の中心に対して内方、外方に強制的に移動され、回転籠の中心方向に向かう固定板３の先端より後退したり、突出したりする。
【手続補正３】
【補正対象書類名】明細書
【補正対象項目名】００１７
【補正方法】変更
【補正の内容】
【００１７】
図５に示す制御手段は、側フレーム１１に設けるガイドを、環状の外リング１６と内リング１７で構成し、この外リング１６と内リング１７間の保持間隔１８内に挿入される摺動板１３の両端部１９の上下の幅を上記保持間隔よりも狭く形成してある。この構成により、回転籠１が回転する際、摺動板１３は保持間隔１８内で摺動板自身の重量により積極的に移動するので、回転籠１の位置により固定板３の先端より回転籠の中心方向に向かう摺動板１３の先端が後退したり、突出したりする。なお、上記図４に示す実施例と図５に示す実施例を適宜組み合わせて案内溝で強制的にガイドされて移動する部分と、案内溝内で自重により積極的に移動する部分を併せて有するガイドであってもよい。
【手続補正４】
【補正対象書類名】明細書
【補正対象項目名】００１８
【補正方法】変更
【補正の内容】
【００１８】
また、上記実施例ではガイド１５による案内部として、断面略コ字状の案内溝１４を有するガイド１５を設け、摺動板１３の両端の上下部をガイド１５に差し込んで嵌合するようにしてあるが、相対的な位置を対向する部材側に変更してもよい。例えば、摺動板１３の端部に図６に示すように側方に開口する略コ字状の受溝２０を形成し、この受溝２０に摺動可能に嵌合する環状案内板２１をガイド１５として側フレーム１１に設けて制御手段としてもよい。そして、この環状案内板２１を真円ではなく、回転籠の回転軌跡と相違する形状、例えば円周方向に波型に蛇行する形状に形成することにより回転籠１の半径方向への摺動板１３の移動を制御することができる。図７は、制御手段による蛇行の一例を示し、ａ点は環状案内板２１が最も内側（回転籠の回転中心方向）に存する位置を示し、ｃ点が最も外側に存する位置し、ｂ点がその中間部となるように環状案内板２１を屈曲させて設けてある。このときの変位量は、例えば回転籠の中心に対して、ａ点からｂ点に移動するとき１．３ｍｍ固定板の外側方向に摺動板が移動し、ｂ点からｃ点に移動するとき０．７ｍｍ外側方向に移動し、ｃ点からｂ点に移動するとき０．７ｍｍ固定板の内側方向に移動し、ｂ点からａ点に移動するときさらに１．３ｍｍ内側方向に移動するように制御することができる。このような蛇行の状態は、環状案内板の全体にわたって同じように突出、後退を繰り返して設けてもよいし、適宜ランダムに突出、後退する蛇行形状に形成してもよい。
【手続補正５】
【補正対象書類名】明細書
【補正対象項目名】００２１
【補正方法】変更
【補正の内容】
【００２１】
上記実施例において、突出体１２は摺動板１３で構成したが、固定板３に隣接して遊星運動する回転体２４で構成することもできる。図１１、図１２はそのような実施例を示し、回転体２４は通過間隙を形成する固定板３間に設けられ、固定板３との間に細片が落下する隙間を形成することができる外径の丸棒若しくは筒状の円柱体で形成されている。回転筒の開口部に設けた端板には、回転体２４の回転軸２５を回転可能に支持する軸受２６が固定され、回転軸２５の端部に設けた遊星歯車２７は、側フレーム１１の内側に設けた内歯車２８に係合し、これにより回転体２４は、回転籠１が回転すると固定板３に隣接して遊星運動により回転する。
【手続補正６】
【補正対象書類名】特許請求の範囲
【補正対象項目名】全文
【補正方法】変更
【補正の内容】
【特許請求の範囲】
【請求項１】
回転籠の篩目を形成するよう回転籠の両端に設けられた断面円形の回転筒の内面に半径方向に通過間隙をあけて円周方向に並列状態に固定した固定板と、該固定板間に挟着された目詰まり物を突き出すよう通過間隙内に固定板との間に隙間をあけて挿入された突出体を有し、該突出体の両端は、上記回転筒の側方に突出し該回転筒の側方に起立した側フレームの内側に形成された環形状のガイドに摺動可能に保持され、回転籠は回転駆動され、該回転籠を駆動した際、上記固定板に押されて突出体が回転し同時に固定板に沿って半径方向に移動するよう上記ガイドの環形状を、上記回転籠の回転軌跡と相違する環形状に形成したことを特徴とする回転式分別機。
【請求項２】
上記突出体は摺動板であり、上記ガイドは、断面略コ字状の案内溝を有し、上記摺動板の端部は該案内溝に摺動可能に嵌合している請求項１に記載の回転式分別機。
【請求項３】
上記突出体は摺動板であり、該摺動板の両端には受溝が形成され、上記ガイドは、円周方向に蛇行する環状案内板であり、該環状案内板は上記受溝に摺動可能に嵌合する請求項１に記載の回転式分別機。
【請求項４】
回転籠の篩目を形成するよう回転籠の両端に設けられた断面円形の回転筒の内面に半径方向に通過間隙をあけて円周方向に並列状態に固定した固定板と、該固定板間に挟着された目詰まり物を突き出すよう通過間隙内に固定板との間に隙間をあけて挿入された摺動板を有し、該摺動板の両端は、上記回転筒の側方に形成した環状の外リングと内リング間の保持間隔内に挿入され、回転籠は回転駆動され、該回転籠を駆動した際、上記固定板に押されて摺動板が回転し同時に固定板に沿って半径方向に自重で移動するよう上記外リングと内リング間の保持間隔よりも上記摺動板の端部の上下の幅を狭く形成したことを特徴とする回転式分別機。
【請求項５】
回転籠の篩目を形成するよう回転籠の両端に設けられた断面円形の回転筒の内面に半径方向に延び通過間隙をあけて円周方向に並列状態に固定した固定板と、該通過間隙内に固定板との間に隙間をあけて挿入され外周面の一部が固定板の先端より突出する回転体を有し、該回転体の回転軸は上記回転筒の端板に固定した軸受に支持され、回転軸の端部には遊星歯車が設けられ、回転籠は回転駆動され、該回転籠を駆動した際、上記回転体が通過間隙内で固定板に隣接して回転するよう上記遊星歯車に噛み合う内歯車を回転筒の側方に起立した側フレームの内側に設けたことを特徴とする回転式分別機。
【請求項６】
上記回転籠は、大口径の回転籠の内方にそれより小口径の回転籠を有する多層構造に形成されている請求項１〜５のいずれかに記載の回転式分別機。